(57)【要約】【課題】文字を他人に解読できないようにすることを少ないピクセルで可能とする暗号化システム。【解決手段】携帯電話のキー等である入力装置２から入力された文字コードを暗号化処理部４で色データに変換する。このとき、変換前の文字コードと変換後の色データとを対応付ける文字コード・色データ対応表６１を生成する。データ処理部３は変換後の色データをプリンタ装置９で暗号化画像印刷物２０として出力させる。携帯電話のカメラ等である読み込み処理部１０で暗号化画像印刷物２０の色データを読み込む。読み込んだ色データを暗号化処理部４で文字コード・色データ対応表６１を参照して文字コードに復号する。【選択図】      図１
2004186974.tif 000002
【特許請求の範囲】
【請求項１】
入力された文字コードを色データに変換する手段と、変換前の文字と変換後の色データとを対応付ける文字コード・色データ対応表を生成する手段と、変換後の色データを画像印刷物として出力する手段とを備えたことを特徴とする暗号化システム。
【請求項２】
文字コードと色データとを対応付ける文字コード・色データ対応表と、入力された文字コードを前記文字コード・色データ対応表を参照して色データに変換する手段と、変換後の色データを画像印刷物として出力する手段とを備えたことを特徴とする暗号化システム。
【請求項３】
前記画像印刷物の色データを読み込む読み込み処理部と、読み込んだ色データを前記文字コード・色データ対応表を参照して文字コードに変換する復号手段とを備えたことを特徴とする請求項１または２記載の暗号化システム。
【請求項４】
さらに、色領域を色データに対応付ける色領域・色データ対応表を備え、読み込んだ色データが前記文字コード・色データ対応表に含まれない場合は前記復号手段は前記色領域・色データ対応表も参照して文字コードに変換することを特徴とする請求項３記載の暗号化システム。
【請求項５】
文字コードと色データとを対応付ける文字コード・色データ対応表と、色領域を文字コードに対応付ける色領域・文字コード対応表と、入力された文字コードを前記文字コード・色データ対応表を参照して色データに変換する手段と、変換後の色データを画像印刷物として出力する手段と、出力された画像印刷物の色データを読み込む読み込み処理部と、読み込んだ色データを前記色領域・文字コード対応表を参照して文字コードに変換する復号手段とを備えたことを特徴とする暗号化システム。
【請求項６】
前記読み込み処理部を携帯電話に組み込んだことを特徴とする請求項３、４または５記載の暗号化システム。
【請求項７】
指定された文字コード列を無効文字コード列として登録する手段と、前記復号手段が復号した文字コード列が登録されている前記無効文字コード列に一致した場合はエラー出力する手段とを備えたことを特徴とする請求項３、４、５または６記載の暗号化システム。
【請求項８】
入力された文字コードを色データに変換するステップと、変換前の文字と変換後の色データとを対応付ける文字コード・色データ対応表を生成するステップと、変換後の色データを画像印刷物として出力するステップとを備えたことを特徴とする暗号化方法。
【請求項９】
文字コードと色データとを対応付ける文字コード・色データ対応表を参照して入力された文字コードを色データに変換するステップと、変換後の色データを画像印刷物として出力するステップとを備えたことを特徴とする暗号化方法。
【請求項１０】
前記画像印刷物の色データを読み込むステップと、読み込んだ色データを前記文字コード・色データ対応表を参照して文字コードに復号するステップとを備えたことを特徴とする請求項８または９記載の暗号化方法。
【請求項１１】
前記画像印刷物の色データを読み込むステップと、読み込んだ色データが前記文字コード・色データ対応表に含まれる場合は前記文字コード・色データ対応表を参照して文字コードに変換し、読み込んだ色データが前記文字コード・色データ対応表に含まれない場合は色領域を色データに対応付ける色領域・色データ対応表と前記文字コード・色データ対応表とを参照して文字コードに復号するステップとを備えたことを特徴とする請求項８または９記載の暗号化方法。
【請求項１２】
文字コードと色データとを対応付ける文字コード・色データ対応表を参照して入力された文字コードを色データに変換するステップと、変換後の色データを画像印刷物として出力するステップと、出力された画像印刷物の色データを読み込むステップと、色領域を文字コードに対応付ける色領域・文字コード対応表を参照して読み込んだ色データを文字コードに復号するステップとを備えたことを特徴とする暗号化方法。
【請求項１３】
指定された文字コード列を無効文字コード列として登録するステップと、復号した文字コード列が登録されている前記無効文字コード列に一致した場合はエラー出力するステップとを備えたことを特徴とする請求項１０、１１または１２記載の暗号化方法。
【請求項１４】
請求項８から１３のいずれか１項に記載の処理をコンピュータに実行させるためのプログラム。
【発明の詳細な説明】
【０００１】
【発明の属する技術分野】
本発明は暗号化システム、暗号化方法および暗号化プログラムに関し、特に文字列を他人に解読できないように暗号化する、暗号化システム、暗号化方法および暗号化プログラムに関する。
【０００２】
【従来の技術】
従来より、セキュリティールームへの入室や部門内の共有パーソナルコンピュータへのアクセスにはセキュリティ確保のためパスワードが使用される。このパスワードを覚えられず、調べたりして、時間を費やしていた。また、覚えられないため、共有パーソナルコンピュータの近くにパスワードが書いてあるメモを貼り付けていたりしたため、セキュリティ確保の役目になっていなかった。
【０００３】
また、定期、切符、チケット等の盗難にあってしまった場合、盗難した者に簡単に利用されてしまっていた。自分の名前等を記載しておいても他人にも読めてしまう。
【０００４】
メモやチケット等に記載したパスワードや名前等の文字を他人に読み取られないようにするために、暗号化することが有効である。文字暗号化方式として、モザイク状暗号文字を印刷するシステムが開示されている（例えば、特許文献１参照。）。
【０００５】
【特許文献１】
特開平６−２４３１２１号公報（第３−６頁、図４）
【０００６】
【発明が解決しようとする課題】
上述したように、メモやチケット等に記載したパスワードや名前等の文字は他人に簡単に読み取られてしまうという問題点があり、引用文献１に記載された方式では一つの文字を暗号化するために多くのピクセルを必要とするという問題点がある。
【０００７】
本発明の目的は、文字の暗号化を少ないピクセルで可能とする暗号化システム、暗号化方法および暗号化プログラムを提供することにある。
【０００８】
【課題を解決するための手段】
本発明の暗号化システムは、入力された文字コードを色データに変換する手段と、変換前の文字と変換後の色データとを対応付ける文字コード・色データ対応表を生成する手段と、変換後の色データを画像印刷物として出力する手段とを備えたことを特徴とする。
【０００９】
本発明の暗号化システムは、文字コードと色データとを対応付ける文字コード・色データ対応表と、入力された文字コードを前記文字コード・色データ対応表を参照して色データに変換する手段と、変換後の色データを画像印刷物として出力する手段とを備えたことを特徴としてもよい。
【００１０】
本発明の暗号化システムは、前記画像印刷物の色データを読み込む読み込み処理部と、読み込んだ色データを前記文字コード・色データ対応表を参照して文字コードに変換する復号手段とを備えたことを特徴としてもよい。
【００１１】
本発明の暗号化システムは、さらに、色領域を色データに対応付ける色領域・色データ対応表を備え、読み込んだ色データが前記文字コード・色データ対応表に含まれない場合は前記復号手段は前記色領域・色データ対応表も参照して文字コードに変換することを特徴としてもよい。
【００１２】
本発明の暗号化システムは、文字コードと色データとを対応付ける文字コード・色データ対応表と、色領域を文字コードに対応付ける色領域・文字コード対応表と、入力された文字コードを前記文字コード・色データ対応表を参照して色データに変換する手段と、変換後の色データを画像印刷物として出力する手段と、出力された画像印刷物の色データを読み込む読み込み処理部と、読み込んだ色データを前記色領域・文字コード対応表を参照して文字コードに変換する復号手段とを備えたことを特徴としてもよい。
【００１３】
本発明の暗号化システムは、前記読み込み処理部を携帯電話に組み込んだことを特徴としてもよい。
【００１４】
本発明の暗号化システムは、指定された文字コード列を無効文字コード列として登録する手段と、前記復号手段が復号した文字コード列が登録されている前記無効文字コード列に一致した場合はエラー出力する手段とを備えたことを特徴としてもよい。
【００１５】
本発明の暗号化方法は、入力された文字コードを色データに変換するステップと、変換前の文字と変換後の色データとを対応付ける文字コード・色データ対応表を生成するステップと、変換後の色データを画像印刷物として出力するステップとを備えたことを特徴とする。
【００１６】
本発明の暗号化方法は、文字コードと色データとを対応付ける文字コード・色データ対応表を参照して入力された文字コードを色データに変換するステップと、変換後の色データを画像印刷物として出力するステップとを備えたことを特徴としてもよい。
【００１７】
本発明の暗号化方法は、前記画像印刷物の色データを読み込むステップと、読み込んだ色データを前記文字コード・色データ対応表を参照して文字コードに復号するステップとを備えたことを特徴としてもよい。
【００１８】
本発明の暗号化方法は、前記画像印刷物の色データを読み込むステップと、読み込んだ色データが前記文字コード・色データ対応表に含まれる場合は前記文字コード・色データ対応表を参照して文字コードに変換し、読み込んだ色データが前記文字コード・色データ対応表に含まれない場合は色領域を色データに対応付ける色領域・色データ対応表と前記文字コード・色データ対応表とを参照して文字コードに復号するステップとを備えたことを特徴としてもよい。
【００１９】
本発明の暗号化方法は、文字コードと色データとを対応付ける文字コード・色データ対応表を参照して入力された文字コードを色データに変換するステップと、変換後の色データを画像印刷物として出力するステップと、出力された画像印刷物の色データを読み込むステップと、色領域を文字コードに対応付ける色領域・文字コード対応表を参照して読み込んだ色データを文字コードに復号するステップとを備えたことを特徴としてもよい。
【００２０】
本発明の暗号化方法は、指定された文字コード列を無効文字コード列として登録するステップと、復号した文字コード列が登録されている前記無効文字コード列に一致した場合はエラー出力するステップとを備えたことを特徴としてもよい。
【００２１】
本発明のプログラムは、請求項８から１３のいずれか１項に記載の処理をコンピュータに実行させる。
【００２２】
【発明の実施の形態】
本発明の実施の形態について図面を参照して詳細に説明する。図１は、第１の実施の形態の構成を示すブロック図である。図１を参照すると、第１の実施の形態は、暗号化システム１と入力装置２と暗号化画像印刷物２０とを含む。
【００２３】
入力装置２は、パーソナルコンピュータのキーボードや携帯電話のキーである。
【００２４】
暗号化システム１は、データ処理部３と暗号化処理部４とデータ記憶部８とプリンタ装置９と読み込み処理部１０とを含む。データ記憶部８は、不揮発性メモリであり、暗号前データ５と暗号化情報テーブル６と暗号化画像７とを含む。
【００２５】
入力装置２により、セキュリティールームに入るためのパスワードや部門内の共有端末のパスワードの値を入力すると、それらのパスワードは、データ処理部３により、データ記憶部８に書き込まれる。この書き込まれたもの（パスワード）が、暗号前データ５となる。
【００２６】
暗号化処理部４は、携帯電話などの端末内で動作し、暗号前データ５の暗号化および、暗号前データ５の暗号化により生成された暗号化画像７を復号化する機能を有する。
【００２７】
暗号化情報テーブル６は、文字コード・色データ対応表６１と色領域・色データ対応表６２とを含む。文字コード・色データ対応表６１は、暗号化により、暗号前データ５であるパスワードの各文字コードが、暗号化画像７のどの色データに変換（対応）されているかの情報を示すテーブルである。色領域・色データ対応表６２は、どの色領域がどの色データに対応されているかの情報を示すテーブルである。文字コード・色データ対応表６１と色領域・色データ対応表６２とは、暗号化処理部４により、暗号前データ５を暗号化し、暗号化画像７を生成する際に作られる。文字コード・色データ対応表６１と色領域・色データ対応表６２とは、生成されると、端末内のデータ記憶部８へ書き込まれる。文字コード・色データ対応表６１と色領域・色データ対応表６２とは、暗号化された暗号化画像７を復号化する際参照して、解読するため、復号化する際は、必ず、必要である。この文字コード・色データ対応表６１と色領域・色データ対応表６２とは、任意に変えることができる。
【００２８】
また、データ処理部３は、暗号化により生成された、データ記憶部８に格納されている暗号化画像７を読み出し、プリンタ装置９に対し、暗号化画像７のデータを転送する。
【００２９】
それを受けて、プリンタ装置９は、暗号化画像７の印刷を行い、暗号化画像印刷物２０を、出力する。印刷する際、プリンタ装置９は、暗号化画像７の色数以上の色数を印刷可能なカラープリンタである。
【００３０】
読み込み処理部１０は、カメラ機能付き携帯電話等で暗号化画像印刷物２０を撮影し、撮影したデータを読み込む処理を行うものであり、読み込んだデータはデータ記憶部８に書き込まれる。また、この書き込まれたデータは、暗号化画像７と等しいデータである。つまり、この書き込まれたデータは、暗号化画像７となる。
【００３１】
次に、第１の実施の形態の動作について図１、図２、図３を参照して説明する。図２は、暗号化処理を行う時の動作を示すフローチャート、図３は、復号化処理を行う時の動作を示すフローチャートである。
【００３２】
まず、暗号前データ５を生成する動作を説明する。図１において、パーソナルコンピュータのキーボードあるいは携帯電話のキーである入力装置２により、セキュリティールームに入るためのパスワードあるいは部門内の共有パーソナルコンピュータのパスワードの値を入力することで暗号前データ５を生成する（ステップＡ１）
生成された暗号前データ５は、データ処理部３により、パーソナルコンピュータや携帯電話などの端末内のデータ記憶部８へ格納される（ステップＡ２）。
【００３３】
次に作成した暗号前データ５を暗号化する動作を説明する。入力装置２により、暗号化処理部４を実行すると、暗号化処理部４は、データ記憶部８に格納されている暗号前データ５を読み出す。暗号前データ５を読み出す際、暗号化処理部４は、暗号前データ５のパスワードの各文字を１文字単位で読み出し、各文字コードを任意の色データに割り当て、変換させ、データ記憶部８に書き込んでいく（ステップＡ３）。
【００３４】
この時に変換させた色データの周囲、数階調の各々の色データは暗号化に使用しない色領域とし、もし、復号化時の読み取り誤差により、読み取った色データがこの使用しない色領域内の色データになってしまった場合、変換した正しい色データに置き換えて、復号化を行う。また、この時、読み出した暗号前データ５のパスワードの各文字コードが、どの色データに変換しているかを示す文字コード・色データ対応表６１と、どの色領域がどの色データに対応されているかを示す色領域・色データ対応表６２とを含む暗号化情報テーブル６を生成する（ステップＡ４）。
【００３５】
この文字コード・色データ対応表６１と色領域・色データ対応表６２とは、ステップＡ４で生成するのではなく、あらかじめ作成しておき、ステップＡ３では、作成済みのものを使用して文字コードを色データに対応させるようにしてもよい。
【００３６】
暗号前データ５を最後まで、読み出し、任意の色データに変換させ、データ記憶部８へ書き込んだものが、暗号化画像７となる（ステップＡ５）。
【００３７】
そして、入力装置２により、印刷指令を出すと、データ処理部３は、データ記憶部８に書き込まれた暗号化画像７を読み出し、プリンタ装置９に対し、暗号化画像７のデータを転送する（ステップＡ６）。
【００３８】
これを受けて、プリンタ装置９は、暗号化画像７を印刷し、暗号化画像印刷物２０を出力する（ステップＡ７）。
【００３９】
この暗号化画像印刷物２０が、紙ベースの暗号化されたデータとなる。暗号化画像印刷物２０はセキュリティールーム入口付近や共有パーソナルコンピュータ付近に貼り付けておく。
【００４０】
次に、この暗号化された暗号化画像７を復号化する動作を説明する。暗号化画像７を復号化する場合は、暗号化の時に生成した暗号化情報テーブル６が必要である。もし、復号化を行いたい暗号化画像７用の暗号化情報テーブル６が復号化を行う端末内に存在しない場合、復号化を行う端末に、あらかじめ暗号化情報テーブル６をダウンロードしておかなければならない。
【００４１】
入力装置２により、読み込み処理部１０を実行すると、カメラ機能付き携帯電話でセキュリティールームの入口付近や共有パーソナルコンピュータ付近に貼り付けてある暗号化画像印刷物２０を撮影し、暗号化画像印刷物２０を読み込み、データ記憶部８に書き込む（ステップＢ１）。暗号化画像印刷物２０は、暗号化画像７を印刷したもののため、暗号化画像印刷物２０を読み込んだデータは、暗号化画像７と同様のものとなる。つまり、データ記憶部８に書き込まれた暗号化画像印刷物２０のデータは、暗号化画像７、そのものとなる。
【００４２】
次に、入力装置２により、暗号化処理部４を実行すると、データ処理部３はデータ記憶部８に書き込まれた色データである暗号化画像７をピクセル単位で読み出す（ステップＢ２）。
【００４３】
この読み出した色データを、暗号化処理部４で暗号化情報テーブル６を参照して、どの色データが、どの文字コードに対応しているか確認し、対応している色データを文字コードに変換し、データ記憶部８へ書き込む（ステップＢ３）。この時、万が一、読み出した色データが、暗号化画像印刷物２０の印刷誤差やカメラ機能付き携帯電話での撮影誤差あるいは、暗号化画像印刷物２０の劣化により、本来の正しい色データとして読み出せずに文字コード・色データ対応表６１では復号化できず不正となった場合、この不正となった値がどの色領域であるかを暗号化処理部４により色領域・色データ対応表６２を参照して確認し、正しい色データに置き換える。これにより、正しい文字コードに変換することができる。
【００４４】
暗号化画像７を最後のピクセルの色データまで読み出し、文字コードに変換されたものが復号化されたセキュリティールームに入るためのパスワードあるいは部門内の共有パーソナルコンピュータのパスワードの値となる（ステップＢ３、ステップＢ４）。
【００４５】
復号化されたパスワードを携帯電話の表示部に表示させることにより、表示されたパスワードを人間が読んでセキュリティールームへの入室やパーソナルコンピュータへのアクセスに使用することができる。
【００４６】
これにより、現在の生活の中で多数存在するパスワードの値を記憶していなくても、このような方法を使用すれば、簡単にパスワードを確認することができるようになる。
【００４７】
本実施の形態では、読み込み処理部１０がカメラ付き携帯電話に組み込まれている例を説明したが、これに限定されるものではなく、デジタルカメラで撮影もしくは、カードリーダやスキャナで読み取ることで、画像を読み込み処理するようにしてもよい。
【００４８】
第１の実施の形態の具体的な実施例を説明する。パスワードとして、数字と英字（ローマ字）とカタカナが使用できるものとする。色データとして、Ｙ（イエロー）とＭ（マゼンタ）とＣ（シアン）のそれぞれ各５ポイントを使用するものとする。５ポイントとして、２５６階調（０〜２５５）の０と６４と１２８と１９２と２５５を設定する。ＹＭＣ各５ポイントを使用すると、５＊５＊５＝１２５種（白と黒とを除いても１２３種）の文字に対応することができるので、英字の大文字と小文字を区別したとしても数字とカタカナを含めることができ、さらに数種の記号を含むこともできる。カタカナの代わりにひらがなを含めてもよい。
【００４９】
文字と色データの対応は、たとえば、「ア」の文字コードを色データ（Ｙ，Ｍ，Ｃ）＝（２５５，０，０）に、「イ」の文字コードを色データ（Ｙ，Ｍ，Ｃ）＝（６４，１２８，２５５）のように文字コード・色データ対応表６１で対応付ける。
【００５０】
また、階調０〜３１は０に、階調３２〜９５は６４に、階調９６〜１５９は１２８に、階調１６０〜２２３は１９２に、階調２２４〜２５５は２５５に、それぞれ置き換えるように、色領域・色データ対応表６２で対応付けておく。
【００５１】
これにより、画像印刷物から読み込んだ色データが（Ｙ，Ｍ，Ｃ）＝（６４，１２８，２５５）であれば、暗号化処理部４は文字コード・色データ対応表６１を参照して「イ」の文字コードに復号する。（Ｙ，Ｍ，Ｃ）＝（６４，１２０，２５５）であれば、文字コード・色データ対応表６１では該当する文字コードがないため、色領域・色データ対応表６２を参照して（Ｙ，Ｍ，Ｃ）＝（６４，１２８，２５５）と置き換えた後に文字コード・色データ対応表６１を参照して「イ」の文字コードに復号する。
【００５２】
別の方式として、文字コード・色データ対応表６１と色領域・色データ対応表６２を組み合わせたものを暗号化情報テーブル６に持つようにしてもよい。すなわち、「ア」の文字コードを色データ（Ｙ，Ｍ，Ｃ）＝（２５５〜２２４，０〜３１，０〜３１）に、「イ」の文字コードを色データ（Ｙ，Ｍ，Ｃ）＝（４８〜８０，１１２〜１４４，２２４〜２５５）のように対応付けた色領域・文字コード対応表を用意して、復号化処理部４がこれを参照することにより、読み取り誤差が生じた場合にも１度の動作で復号化できる。
【００５３】
さらに、階調０〜３１は０に、階調４８〜８０は６４に、階調１１２〜１４４は１２８に、階調１７６〜２０８は１９２に、階調２２４〜２５５は２５５に、それぞれ置き換えるようにして、途中の３２〜４７、８１〜１１１、１４５〜１７５、２０９〜２２３は置き換えないようにしてもよい。このように対応領域と非対応領域とを設け、読み込んだ色データが非対応領域であった場合は読み込みエラーとし、再読み込みを行う。これにより、復号化精度を向上させることができる。
【００５４】
通常、紙ベースで保管されている秘密文章ファイルを、本発明のような暗号化を行うことで、暗号化された紙ベースの印刷物として保管できる。従い、紙ベースで保管されている秘密文章を盗み読みされてしまう被害が減少できる。
【００５５】
文章ファイルの各文字コードを色データに置き換え、暗号化することは、紙ベースでは１文字を１ピクセルで表現することであるため、印刷物１枚に格納できる文字の情報は色データに置き換えて暗号化した方が、遥かに多い文字情報を格納することができる。従い、紙ベースで大量の文書ファイルを保管しているような場合は、暗号化することで保管する印刷物の枚数が減少でき、保管スペースの減少にもなる。
【００５６】
次に、本発明の第２の実施の形態について説明する。第２の実施の形態は、第１の実施の形態を応用した例である。
【００５７】
定期券・切符・観戦チケット・駐車券等の個人所有の媒体に世界に１つしか存在しない個人ＩＤ（ｉｄｅｎｔｉｆｉｃａｔｉｏｎ  ｎｕｍｂｅｒ）番号値のようなものや生年月日や名前等の個人情報を色データに変換したものを発行元や自分自身で印刷もしくは、スタンプ形式のようなものを用いて押印する。印刷もしくはスタンプが押印されている定期券・切符・観戦チケット・駐車券等の媒体と印刷もしくは押印されていない媒体は、通常は同じように使用できる。
【００５８】
もし、定期券・切符・観戦チケット・駐車券等の媒体を紛失してしまったり、盗難にあってしまった時、印刷もしくはスタンプを押印してある場合はそれらを無効にすることができる。その方法について説明する。
【００５９】
定期券・切符・観戦チケット・駐車券等の媒体購入時あるいは購入後、あらかじめ、個人ＩＤ番号値や個人情報を色データに変換したものを印刷もしくは、スタンプ形式のもので押印する。印刷や押印を行うのは、発行元でも購入者のどちらでも構わない。
【００６０】
この定期券・切符・観戦チケット・駐車券等が有効である際、紛失、盗難にあってしまった時、それらの媒体の発行元である鉄道会社、バス会社、航空会社、あるいはイベント会社等に連絡をする。連絡を受けた発行元会社は、紛失・盗難の媒体に押印されている個人ＩＤ番号や個人情報が印刷あるいは押印された定期券・切符・観戦チケット・駐車券を調べ、その定期券・切符・観戦チケット・駐車券の利用を無効とするように、発行元のシステムに登録する。
【００６１】
無効となった媒体を、自動改札や駐車料金の精算機に挿入すると、自動改札や精算機は、その媒体が無効と判断し、エラーとして利用を拒否する。
【００６２】
また、紛失してしまったものが、見つかった場合、鉄道会社に連絡し、定期券を有効にしてもらうことで、再び使用可能となる。従って、例え、暗号化情報が押印（印刷）されている定期でも、自分自身により、その定期を有効にしたり、無効にすることができる。
【００６３】
このように、自分自身で自分の所有物に対して、鍵を掛けたり外したりできるため、盗難にあっても、盗んだものが利用することができなくなる。
【００６４】
本実施の形態では、鉄道会社にて、定期券に暗号化情報を印刷する場合は、鉄道会社で固有の暗号化情報テーブル６を生成するが、定期券購入後、自分の所有のスタンプで暗号化情報を押印する場合は、暗号化情報テーブル６を鉄道会社がわからなければ、鉄道会社で復号化することができないので、この場合は、固有の暗号化情報テーブルでなく、世界共通の暗号化情報テーブルが存在して、これを使用して復号化する。（個人の所有のスタンプの場合は、世界共通の暗号化情報テーブルの情報をもとに、スタンプを作る。）つまり、たとえば（Ｙ，Ｍ，Ｃ）＝（２５５，０，０）の色を「ア」と世界共通で決められている暗号化情報テーブルを使用して、復号化を行う。
【００６５】
本発明の実施の形態のデータ処理部３、暗号化処理部４、読み込み処理部１０等の動作はコンピュータ・プログラム処理により行わせることが可能である。すなわち、記録媒体に記録したプログラムを端末に読み込ませるか、あるいは、ネットワークからコンピュータ・プログラムを端末に読み込ませて、実施の形態で説明した動作を実行させる。
【００６６】
【発明の効果】
以上説明したように、本発明によれば、文字列を少ないピクセルで安価で簡易に暗号化することができるという効果がある。多数存在するパスワードを全て記憶しておかなくても、本発明の暗号化システムを使用すれば、簡単に瞬時にパスワードを知ることができる。
【００６７】
また、切符・定期・観戦チケット・駐車券等の媒体や個人所有物に対して、個人ＩＤ番号値や個人情報を色データに変換したものを発行元あるいは自分自身で印刷もしくは押印することで、紛失・盗難時に簡易的にそれらの媒体を有効・無効にすることができるという効果がある。
【図面の簡単な説明】
【図１】第１の実施の形態の構成を示すブロック図である。
【図２】暗号化処理を行う時の動作を示すフローチャートである。
【図３】復号化処理を行う時の動作を示すフローチャートである。
【符号の説明】
１    暗号化システム
２    入力装置
３    データ処理部
４    暗号化処理部
５    暗号前データ
６    暗号化情報テーブル
７    暗号化画像
８    データ記憶部
９    プリンタ装置
１０    読み込み処理部
２０    暗号化画像印刷物
６１    文字コード・色データ対応表
６２    色領域・色データ対応表
【図１】
2004186974.tif 000003
【図２】
2004186974.tif 000004
【図３】
2004186974.tif 000005